(57)【要約】      （修正有）【課題】十分な強度を有する底板を備える工具バッグを提供する。【解決手段】工具バッグ１は、有底筒状の本体部２と、本体部２の底部２１に嵌め込まれる底板３であって、少なくとも２枚の補強材を重ね合わせて構成される、底板３と、を備えている。この有底筒状の本体部２は、矩形断面を有し、少なくとも２枚の補強材は、それぞれ２つの立ち上がり部を有するコ字状に形成されて、コ字の立ち上がり部が互いに略直交するように配置される。【選択図】図１
0003204534.tif 000002
【実用新案登録請求の範囲】
【請求項１】
工具バッグであって、
有底筒状の本体部と、
前記本体部の底部に嵌め込まれる底板であって、少なくとも２枚の補強材を重ね合わせて構成される、底板と、
を備えることを特徴とする、工具バッグ。
【請求項２】
前記有底筒状の本体部は、矩形断面を有し、
少なくとも２枚の前記補強材は、それぞれ２つの立ち上がり部を有するコ字状に形成されて、コ字の立ち上がり部が互いに略直交するように配置されることを特徴とする、請求項１に記載された工具バッグ。
【請求項３】
前記有底筒状の本体部は、矩形断面を有し、
少なくとも２枚の前記補強材は、４つの立ち上がり部と矩形の底部とを有する十字状に形成される第１補強材と、前記第１補強材の前記矩形の底部に重ね合わされる矩形の第２補強材と、から構成されることを特徴とする、請求項１に記載された工具バッグ。
【請求項４】
前記補強材は、合成繊維、帆布、合成皮革若しくは皮革、又は合成樹脂によって形成されていることを特徴とする、請求項１乃至請求項３のいずれか一項に記載された工具バッグ。
【考案の詳細な説明】
【技術分野】
【０００１】
本考案は、工具類又は部品等を収容するための工具バッグに関するものである。
【背景技術】
【０００２】
従来から、有底筒状の袋の口部に吊紐の両端を縫い付けた工具バッグが使用されている。この工具バッグには、スパナ、レンチ、ハンマーなどの工具や、単管、ジョイント部品、ビスなどの部品が収容される。そのため、ベルトが切れたり、袋が破れたりしないように破断荷重を念頭において強度の対処がなされている。ところが、従来の工具バッグは、ベルト１本で全重量を支えるようになっているため、ベルトが損傷すると工具類が落下するおそれがあった。さらに、工具バッグの底に工具類の尖端が接触することで底部を突き破るおそれもあった。
【０００３】
そこで、例えば特許文献１に記載された工具袋では、従来はベルト１本で吊り下げていたところ、ベルト２本で吊り下げるようにして、対応重量を２倍にするとともに、２本のベルトをいずれも工具袋の底部まで廻すことによって、２本のベルトによって全重量を支持させるようにしている。さらに、この特許文献１の工具袋では、底部に底板を設置することによって、工具袋の底部に工具が突き刺さって穿孔することを防止している。
【先行技術文献】
【特許文献】
【０００４】
【特許文献１】登録実用新案第３１９６５９２号公報
【考案の概要】
【考案が解決しようとする課題】
【０００５】
しかしながら、特許文献１の工具袋では、底部に底板が設置されているものの、１枚の底板による補強であるため、使用状況によっては経年使用中に強度が不足して破れてしまう可能性がある、という問題があった。
【０００６】
そこで、本考案は、十分な強度を有する底板を備える工具バッグを提供することを目的としている。
【課題を解決するための手段】
【０００７】
上述した課題を解決するために、本考案の工具バッグは、有底筒状の本体部と、前記本体部の底部に嵌め込まれる底板であって、少なくとも２枚の補強材を重ね合わせて構成される、底板と、を備えることを特徴としている。
【考案の効果】
【０００８】
本考案の工具バッグは、有底筒状の本体部と、少なくとも２枚の補強材を重ね合わせて構成される底板と、を備えることで、少なくとも従来の２倍の強度を有する底板を備える工具バッグとなる。
【図面の簡単な説明】
【０００９】
【図１】工具バッグの全体構成を示した斜視図である。
【図２】実施例１の底板の構成を示した斜視図である。
【図３】実施例２の底板の構成を示した斜視図である。
【考案を実施するための形態】
【００１０】
以下、図面を参照しつつ、本考案を実施するための形態を説明する。図１は工具バッグの全体構成を示した斜視図であり、図２は実施例１の底板の構成を示した斜視図であり、図３は実施例２の底板の構成を示した斜視図である。
【実施例１】
【００１１】
（構成）
本実施例では、図１、図２を用いて、２枚のコ字状の補強材３１、３２から構成される底板３を備える工具バッグ１について説明する。本実施例の工具バッグ１は、図１に示すように、全体として有底筒状に形成される本体部２と、本体部２の底部２１に隙間なく嵌め込まれる底板３と、を備えている。ここにおいて、底板３は本体部２に縫い合わされて固定されていることが好ましい。
【００１２】
本体部２は、合成繊維、帆布（布製）、合成皮革若しくは（天然）皮革、又は合成樹脂などによって有底筒状に形成されるものであり、矩形の底部２１と、矩形の前面部２２と、矩形の左側面部２３と、矩形の右側面部２４と、略矩形の背面部２５と、によって構成されている。すなわち、本体部２は、前面部２２、左側面部２３、右側面部２４、及び、背面部２５によって、矩形断面を有するように構成されている。
【００１３】
背面部２５の上部には、縦ループ状に形成されたベルト通し２６と、横ループ状に形成された落下防止用のセフティーコードを取り付けできるコード通し２７とが取り付けられている。ベルト通し２６には、使用時にベルトが通されて、工具バッグ１をユーザの腰などに装着できるようになっている。また、コード通し２７には、低所作業、高所作業で工具バッグなどに収納している工具が落ちないように、工具に接続する落下防止用のコードが取り付けできるようになっている。
【００１４】
底板３は、２つの補強材３１、３２から構成されるものであり、一方の補強材３１の上に他方の補強材３２を重ねることで形成される。各補強材３１（３２）は、図２に示すように底部３１ｂ（３２ｂ）を挟んで２つの立ち上がり部３１ａ、３１ａ（３２ａ、３２ａ）を有しており、全体としてコ字状に形成されている。立ち上がり部３１ａ、３１ａは、収容される工具類のガイドとなるように所定の高さ（例えば本体部２の高さの約１／３〜１／２の高さ）を有していることが好ましい。底部３１ｂ（３２ｂ）の形状は、本体部２の底部２１にちょうど嵌め込まれるように、底部２１よりも若干小さく形成されている。補強材３１（３２）は、例えば金属製など、どのような素材から形成することもできるが、本体部２に縫い合わせるために、合成繊維、帆布（布製）、合成皮革若しくは（天然）皮革、又は合成樹脂などの素材によって形成されていることが好ましい。
【００１５】
このうち、本体部２の前面部２２と重なる立ち上がり部３１ａを有する一方の補強材３１では、立ち上がり部３１ａの幅が前面部２２の幅と略同一になるようにされている。同様に、本体部２の左側面部２３及び右側面部２４と重なる立ち上がり部３２ａを有する他方の補強材３２では、立ち上がり部３２ａの幅が左側面部２３及び右側面部２４の幅と略同一になるようにされている。
【００１６】
そして、本実施例の補強材３１、３２は、一方の補強材３１の立ち上がり部３１ａが他方の補強材３２の立ち上がり部３２ａと略直交するように配置されている。本体部２内に設置された状態では、２つの補強材３１、３２は、互いに底部３１ｂ、３２ｂを重ね合わされた状態となっている。したがって、２枚の補強材３１、３２の底部３１ｂ、３２ｂが重ね合わされ、さらに本体部２の底部２１が重ね合わされるため、底板３と底部２１の合計で３重構造となっている。
【００１７】
（作用・効果）
次に、本実施例の工具バッグ１の作用・効果を列挙して説明する。
【００１８】
（１）上述してきたように、本実施例の工具バッグ１は、有底筒状の本体部２と、少なくとも２枚の補強材３１、３２を重ね合わせて構成される底板３と、を備えることで、少なくとも従来の２倍の強度を有する底板３を備える工具バッグとなる。
【００１９】
すなわち、２つの補強材３１、３２は、互いに底部３１ｂ、３２ｂを重ね合わされて２枚構成となっているため、同じ素材で構成されているとすれば、従来の１枚構成と比べると２倍の強度を有する。さらに、本体部２の底部２１を含めると合計で３重構造となっており、十分な強度となる。
【００２０】
（２）また、有底筒状の本体部２は矩形断面を有し、少なくとも２枚の補強材３１、３２はそれぞれ２つの立ち上がり部３１ａ、３２ａを有するコ字状に形成されて、コ字の立ち上がり部３１ａ、３２ａが互いに略直交するように配置されていることで、少なくとも４つの立ち上がり部３１ａ、３２ａ、３１ａ、３２ａによって本体部２の底部２１付近の内側面全体を覆うことができるうえ、本体部２の内部においてずれにくい補強材３１、３２となる。このため、工具類が補強材３１、３２間の隙間から出て本体部２に突き刺さることを防止できる。さらに、内部に補強材３１、３２を収容することによって、本体部２の容器状の形状を保持することもできる。
【００２１】
（３）さらに、補強材３１、３２は、合成繊維、帆布（布製）、合成皮革若しくは（天然）皮革、又は合成樹脂などの素材によって形成されていることで、補強材３１、３２を本体部２に縫い付けることが可能となる。
【実施例２】
【００２２】
以下、図１、図３を用いて、実施例１とは異なる形態の底板４を備える工具バッグ１について説明する。なお、実施例１で説明した内容と同一乃至均等な部分の説明については同一符号を付して説明する。
【００２３】
まず構成について説明する。本実施例の工具バッグ１は、実施例１と同様に、全体として有底筒状に形成される本体部２と、本体部２の底部２１に嵌め込まれる底板４と、を備えている。このうち本体部２の構成は実施例１と略同様であるから説明を省略する。
【００２４】
底板４は、２つの補強材から構成されるものであり、第１補強材４１の下に第２補強材４２を重ねることで形成される。具体的にいうと、底板４は、４つの立ち上がり部４１ａ、４１ｃ、４１ａ、４１ｃと矩形の底部４１ｂとを有する十字状の第１補強材４１と、第１補強材４１の矩形の底部４１ｂに重ね合わされる矩形の第２補強材４２と、から構成される。補強材４１（４２）は、例えば金属製など、どのような素材から形成することもできるが、本体部２に縫い合わせるために、合成繊維、帆布（布製）、合成皮革若しくは（天然）皮革、又は合成樹脂などの素材によって形成されていることが好ましい。
【００２５】
したがって、第１補強材４１の底部４１ｂと第２補強材４２とが重ね合わされ、さらに本体部２の底部２１が重ね合わされるため、底板３と底部２１の合計で３重構造となっている。なお、十字０状の第１補強材４１と矩形状の第２補強材４２とを重ね合わせる順序は、実施例とは逆に、第２補強材４２が上で第１補強材４１が下であってもよい。
【００２６】
（作用・効果）
次に、本実施例の工具バッグ１の作用・効果を列挙して説明する。
【００２７】
（１）上述してきたように、本実施例の工具バッグ１は、有底筒状の本体部２と、少なくとも２枚のコ字状に形成された補強材４１、４２を重ね合わせて構成される底板４と、を備えることで、少なくとも従来の２倍の強度を有する底板を備える工具バッグ１となる。
【００２８】
（２）また、有底筒状の本体部２は、矩形断面を有し、少なくとも２枚の補強材３１、３２は、４つの立ち上がり部４１ａ、４１ｃ、４１ａ、４１ｃと矩形の底部４１ｂとを有する十字状の第１補強材４１と、第１補強材４１の矩形の底部４１ｂに重ね合わされる矩形の第２補強材４２と、から構成することで、少なくとも４つの立ち上がり部４１ａ、４１ｃ、４１ａ、４１ｃによって本体部２の底部２１付近の内側面全体を覆うことができるうえ、本体部２の内部において、ずれにくい補強材４１、４２となる。つまり、第１補強材の４つの立ち上がり部４１ａ、４１ｃ、４１ａ、４１ｃは、それぞれ本体部２の前面部２２、左側面部２３、背面部２５、右側面部２４に沿うように配置されるため横ずれしにくい。
【００２９】
（３）さらに、第１補強材４１及び第２補強材４２は、合成繊維、帆布（布製）、合成皮革若しくは（天然）皮革、又は合成樹脂などによって形成されていることで、第１補強材４１及び第２補強材４２を本体部２に縫い付けることが可能となる。さらに、補強材４１、４２どうしを縫い合わせて固定することが可能となる。
【００３０】
なお、この他の構成および作用効果については、実施例１と略同様であるため説明を省略する。
【００３１】
以上、図面を参照して、本考案の実施例１、２を詳述してきたが、具体的な構成は、これらの実施例１、２に限らず、本考案の要旨を逸脱しない程度の設計的変更は、本考案に含まれる。
【００３２】
例えば、実施例１、２では、補強材を２枚のみ配置する場合について説明したが、これに限定されるものではなく、３枚以上の補強材を配置することもできる。その場合、実施例２の第２補強材４２と同様の形状の補強材を底部２１に重ねることができる。
【００３３】
また、実施例１、２では、補強材３１、３２、４１、４２は本体部２に縫い付けるものとして説明したが、これに限定されるものではない。補強材３１、３２、４１、４２は、面ファスナーによって、本体部２に取り外し可能に貼設することもできる。例えば、補強材３１の底部３１ｂの下面は底部２１の上面に貼設し、立ち上がり部３１ａ、３１ａの外面は前面部２２と背面部２５の内面に貼設することができる。同様に、補強材３２の底部３２ｂの下面は補強材３１の底部３１ｂの上面に貼設し、立ち上がり部３２ａ、３２ａの外面は左側面部２３と右側面部２４の内面に貼設することができる。
【符号の説明】
【００３４】
１          工具バッグ
２          本体部
２１        底部
２２        前面部
２３        左側面部
２４        右側面部
２５        背面部
２６        ベルト通し
２７        工具差し
３          底板
３１、３２  補強材
３１ａ、３２ａ  立ち上がり部
３１ｂ、３２ｂ  底部
４          底板
４１        第１補強材
４２        第２補強材
４１ａ、４１ｃ  立ち上がり部
４１ｂ      底部
【図１】
0003204534.tif 000003
【図２】
0003204534.tif 000004
【図３】
0003204534.tif 000005